(57)【要約】【課題】  効率よく安定的に内袋内の消火剤等を放出でき、故障が少ない消火剤タンクを提供する。【解決手段】  消火剤タンク１−１は、タンク本体２の内部に設けてある消火剤が充填された内袋９が内袋接続用口部１０により第１蓋部３の内部に設けてある接続部５に取付けられ、内袋９内には第１蓋部３の開口部４に着脱自在に取付けられた第２蓋部６の下部に嵌合された周壁部にらせん状の開口部８aを有する誘導管８が設けられ、圧力ガス等は流通孔１１からタンク本体２内に充填される。【選択図】図１
2018038640.tif 000002
【特許請求の範囲】
【請求項１】
タンク本体と、
前記タンク本体の内部に設けられた内袋と、
前記内袋の内部に挿通され、前記内袋の内部に充填する消火剤を外部に放出するための誘導管と、
を備えた消火剤タンクであって、
前記誘導管はらせん状に連続した開口を備えたことを特徴とする消火剤タンク。
【請求項２】
前記誘導管はコイルバネから成ることを特徴とする請求項１記載の消火剤タンク。
【請求項３】
前記内袋を伸縮させるために前記内袋の底部に前記誘導管と接続する接続手段を設けたことを特徴とする請求項１又は２のいずれかに記載の消火剤タンク。
【請求項４】
前記誘導管を伸縮させるための伸縮手段を設けたことを特徴とする請求項１又は２のいずれかに記載の消火剤タンク。
【発明の詳細な説明】
【技術分野】
【０００１】
本発明は、消火剤を内部に貯蔵し、圧力ガス等により消火剤を外部に放出する消火剤タンクに関するものである。
【背景技術】
【０００２】
消火設備に設けられる大型の消火剤タンクや携帯用の小型の消火剤タンクには、消火剤タンク内に泡消火剤や高粘度性のゲル含有消火剤等を充填した内袋を設け、消火剤タンクの内壁と内袋との間に圧力ガス等を充填し、その圧力により内袋の消火剤を押し出す方式の消火剤タンクが採用されている。この方式の消火剤タンクは内袋内の消火剤を効率よく放出するために内袋内に誘導管を設けて消火剤を外部に誘導するようにしている（特許文献１参照）。しかし、一般的な先端のみ開口部がある誘導管では、圧力ガス等により押圧された内袋が収縮して消火剤が放出される際に、内袋が開口部に張り付いてしまうことがある。そうすると、開口部が閉塞されて消火剤の放出が途中で止まってしまい、内袋内の消火剤等を全て使用できないという問題があった。また誘導管の周壁に孔を複数設けたり、スリットを設けたりした誘導管であっても、孔やスリットに内袋が張り付くことがあり、同様の問題が生じていた。
【０００３】
また前述のように、内袋を圧力ガス等の外力で押圧して圧縮により内部の消火剤を吐出させる方式の場合は、内外の圧力差による外力と内袋が誘導管に張り付く際に生じる外力が誘導管にかかり、誘導管が折れ曲がったり、内袋が誘導管に接する部分で破けたりする可能性もあった。このように現行の消火剤タンクにおいては、安定的に消火剤を放出できず、また誘導管や内袋の破損により故障を生じやすいという問題があった。
【先行技術文献】
【特許文献】
【０００４】
【特許文献１】特開２０１５−１０４３９１号公報
【発明の概要】
【発明が解決しようとする課題】
【０００５】
そこで、本発明は、効率よく安定的に内袋内の消火剤等を放出でき、故障が少ない消火剤タンクを提供することを課題とするものである。
【課題を解決するための手段】
【０００６】
本発明は、上述した課題を解決するためのものであり、以下の構成を有する。
【０００７】
（１）本発明は、タンク本体と、前記タンク本体の内部に設けられた内袋と、前記内袋の内部に挿通され、前記内袋の内部に充填する消火剤を外部に放出するための誘導管と、を備えた消火剤タンクであって、前記誘導管はらせん状に連続した開口部を備えたことを特徴とする消火剤タンクである。
【０００８】
本発明によれば、内袋が収縮して誘導管に張り付いても、誘導管に設けたらせん状の連続した開口部を全て塞ぐことはない。そのため、内袋の内部に充填した消火剤を全て放出することができ、安定的に効率よく消火剤等の放出を行うことができる。またチキソトロピー性を有する高粘度の消火剤等に対しては特に開口部の詰まる頻度を低減することができる。さらに、らせん状に形成されていることにより誘導管が内袋の収縮に追従してしなやかに変形するため、誘導管や内袋は破損し難く、内袋の収縮による外力がなくなれば誘導管は容易に通常の形状に戻ることができる。
【０００９】
（２）また、本発明は、前記誘導管はコイルバネから成ることを特徴とする（１）の消火剤タンクである。
【００１０】
本発明によれば、前記（１）の効果に加えて誘導管の入手が容易であり、購入の際のコストも安価で済む。また、コイルバネには柔軟性があるため、内外の圧力差による外力や内袋の収縮による外力に強く、より破損に対して強い。
【００１１】
（３）また、本発明は前記内袋を伸縮させるために前記内袋の底部に前記誘導管と接続する接続手段を設けたことを特徴とする（１）又は（２）のいずれかに記載の消火剤タンクである。
【００１２】
本発明によれば、誘導管を上下に昇降させることにより内袋が上下に伸縮するため、内袋の内部の消火剤を撹拌することができる。そのため、高粘度のチキソトロピー性を有する消火剤を用いた場合等に、詰まりが生じても攪拌により解消することができる。
【００１３】
（４）また、本発明は、前記誘導管を伸縮させるための伸縮手段を設けたことを特徴とする（１）又は（２）のいずれかに記載の消火剤タンクである。
【００１４】
本発明によれば、らせん状の誘導管を伸縮させることによって、らせん状の開口部を広げたり狭めたりして誘導管の消火剤による詰まりを解消することができる。
【発明の効果】
【００１５】
本発明によれば、消火剤による誘導管の詰まりを解消し、内外の圧力差による力や内袋の収縮による力によって生じる内袋や誘導管の破損も防止できるので故障が少なく、安定的に内袋内の消火剤等を放出できるため、消火剤タンクの性能を十分に発揮することができる。
【図面の簡単な説明】
【００１６】
【図１】本発明の実施例１における消火剤タンクの縦断面図。
【図２】本発明の実施例２における消火剤タンクの縦断面図。
【図３】本発明の実施例３における消火剤タンクの一部截断面図。
【図４】本発明の実施例４における消火剤タンクの一部截断面図。
【発明を実施するための形態】
【００１７】
本発明は消火剤を内部に貯蔵し、圧力ガス等により消火剤を外部に放出する消火剤タンクである。以下、本発明を実施するための形態について説明する。
【実施例１】
【００１８】
図１は、本発明の実施例１における消火剤タンク１−１を示す縦断面図である。２はタンク本体、２ａはソケット、３は第１蓋部、４は開口部、５は接続部、６は第２蓋部、７は第２蓋部に設けられた流通孔、８は誘導管、９は内袋、１０は内袋接続用口部、１１は流通孔である。タンク本体２は上部には、リング状のソケット２ａが形成され、下部に流通孔１１が設けられている。第１蓋部３は略円盤状であり、外周に外ネジが設けられている。第１蓋部３の中心には開口部４が設けられ、その下部には接続部５が設けられている。接続部５は内袋９が着脱自在に取付けられるネジを有している。第２蓋部６はネジを有し流通孔７が設けられている。誘導管８は周囲にらせん状の連続した開口部８ａを有している。図１に示すように第２蓋部６を開口部４に取付けたとき、誘導管８は内袋９内に挿入された状態となる。
【００１９】
本発明の消火剤タンク１−１において、タンク本体２の内部には内袋９が設けられている。内袋９は、内袋接続用口部１０により第１蓋部３の内部に設けてある接続部５に取付けられており、第２蓋部６は、第１蓋部３の開口部４に着脱自在に取付けられている。内袋９内部の第２蓋部６の下部には、周壁部にらせん状の開口部８aを有する誘導管８が嵌合されている。誘導管８は内袋９の内部に設けられ、開口部４と流通孔７と連通して消火剤の流通路を形成している。内袋９には消火剤が充填される。圧力ガス等は下部に設けられた流通孔１１からタンク本体２内に充填される。消火剤タンク１−１を使用する際には、内袋９内の消火剤が圧力ガス等よって押圧されて、誘導管８にらせん状に形成された開口部８ａから誘導管８内に流入する。そして、誘導管８により誘導された消火剤は流通孔７を通って、流通孔７に接続された消火ホース等から外部に放出される。
【００２０】
消火剤タンク１−１では、内袋９が圧力ガス等により押圧された際に、誘導管８に張り付いて開口部８ａの一部を塞ぐことはあっても、らせん状であるため全ての開口部８ａを塞ぐことはない。そのため、内袋９内の消火剤を全て放出することができる。また、チキソトロピー性を有する高粘度性の消火剤等の場合においては、特に、通常の誘導管に比べて消火剤が詰まる頻度を低減させる効果が大きい。そして、誘導管８の周壁部はらせん状になっているため、内袋９の収縮により誘導管８に外力が加わっても内袋９の収縮に追従してしなやかに変形することができる。そのため誘導管８が破損することはなく、外力がなくなれば、元の形状に戻ることができる。なお、誘導管８における開口部８ａの幅の大きさは内袋９に充填する消火剤等の特性や収縮時の外力の強さに応じて変更してもよく、実施例に示したものに限定されることはない。
【実施例２】
【００２１】
図２は、本発明の実施例２における消火剤タンク１−２を示す縦断面図である。１２は第２蓋部６の下部に嵌合された誘導管をコイルバネにしたものであり、消火剤タンク１−２のその他の構成については実施例１に示した消火剤タンク１−１と同様である。
【００２２】
実施例２において、消火剤が圧力ガス等に押圧されて内袋９が収縮し誘導管１２に張り付いても、張り付いた内袋９がコイルバネを骨組みとして筒状に形成されると共に開口部の全てを塞ぐことはない。そのため、内袋９内に充填した消火剤を全て放出することができる。また、誘導管１２はコイルバネで構成されているので弾性力あるため外力による変形にも強く、外力がなくなれば元の形状に戻ることができる。さらに、コイルバネの製造方法を用いることができるため成形が容易であり、製作のコストも安価で済み、消火剤の特性や内袋９の圧縮時の力に容易に対応が可能である。
【実施例３】
【００２３】
図３は、本発明の実施例３における消火剤タンク１−３を示す一部截断面図である。１３は底部に係止部１４を設けた第２蓋部６の下部に嵌合されたコイルバネ状の誘導管、１５は誘導管１３と接続する接続手段として袋内部の底部に係止部１４と係合する係止部１６を設けた内袋である。消火剤タンク１−３のその他の構成については実施例１に示した消火剤タンク１−１と同様である。
【００２４】
実施例３では、消火剤が誘導管１３の開口部を塞いで詰まらせてしまっても、内袋１５の底部を上下動させることで内袋１５を伸縮させて、内袋１５内の消火剤を撹拌すると共に誘導管１３の詰まりを解消することができる。その際には、第２蓋部６を第１蓋部３から取り外して、第２蓋部６の下部に嵌合された誘導管１３を内袋１５内で上下させることで係止部１４と係合した係止部１６により内袋１５の底部を上下動させる。
【実施例４】
【００２５】
図４は、本発明の実施例４における消火剤タンク１−４を示す一部截断面図である。１７はコイルバネ状の誘導管、１８は第２蓋部６に取付けられた誘導管１７を伸縮させる伸縮手段として使用する伸縮装置、１９は摺動管、２０は伸縮用杆、２１は係止部、２２は消火ホース等を伸縮装置に取付けるための管継手である。消火剤タンク１−４のその他の構成については実施例１に示した消火剤タンク１−１と同様である。
【００２６】
伸縮装置１８は、摺動管１９が図４の上下方向に摺動するよう取り付けられており、使用者が手動で摺動管１９を伸縮させることができる。摺動管１９の内部に取付けられた平板状の伸縮用杆２０は、誘導管１７内を挿通すると共に一端を誘導管１７の端部に係止部２１によって係合している。消火剤タンク１−４を使用する際には、内袋９内の消火剤は誘導管１７により摺動管１９内に誘導され、管継手２２に接続された消火ホースから外部に放出される。そして、誘導管１７が消火剤により詰まった場合は、第２蓋部６等の部品を取り外すことなく摺動管１９を上下させる。そうすると、誘導管１７が伸縮して、内袋９内の消火剤を撹拌すると共に誘導管１７の詰まりを解消することができる。なお、本実施例では伸縮させる誘導管としてコイルバネ状の誘導管を用いたが、伸縮性があり又は弾性力がある素材のらせん状の誘導管であれば、コイルバネ状の誘導管に代えて本実施例における伸縮装置により伸縮させることで同様の効果を得ることができる。
【符号の説明】
【００２７】
１−１  消火剤タンク、１−２  消火剤タンク、１−３  消火剤タンク、１−４  消火剤タンク、２  タンク本体、２ａ  ソケット、３  第１蓋部、４  開口部、５  接続部、６  第２蓋部、７  流通孔、８  誘導管、８ａ  開口部、９  内袋、１０  内袋接続用口部、１１  流通孔、１２  誘導管、１３  誘導管、１４  係止部、１５  内袋、１６  係止部、１７  誘導管、１８  伸縮装置、１９  摺動管、２０  伸縮用杆、２１係止部、２２  管継手
【図１】
2018038640.tif 000003
【図２】
2018038640.tif 000004
【図３】
2018038640.tif 000005
【図４】
2018038640.tif 000006